(57)【要約】【課題】地震発生時に家具類の転倒及び移動を防止でき、かつキャスターの機能を損なわない免震装置を提供することを目的とする。【解決手段】設置物３０の底部に取り付けられた複数のキャスター２０を囲むように設置物の底部に装着される免震装置１０であって、外側蛇腹体３と、外側蛇腹体３の内径より小さな内径を有する内側蛇腹体４と、外側蛇腹体３の下端部に連結される外周壁と、内側蛇腹体４の下端部に連結される内周壁を有する下側キャップ２と、外側蛇腹体３の上端部に連結される外周壁と、内側蛇腹体４の上端部に連結される内周壁を有し、設置物３０の底部に取り付けられる上側キャップ１と、を有し、外側蛇腹体３、内側蛇腹体４、下側キャップ２及び上側キャップ１により形成された気密性を有する空間に、空気を供給する空気供給手段を有することを特徴とする免震装置。【選択図】図５
2018007822.tif 000002
【特許請求の範囲】
【請求項１】
設置物の底部に取り付けられた複数のキャスターを囲むように前記設置物の底部に装着される免震装置であって、
外側蛇腹体と、
前記外側蛇腹体の内径より小さな内径を有する内側蛇腹体と、
前記外側蛇腹体の下端部に連結される外周壁と、前記内側蛇腹体の下端部に連結される内周壁を有する下側キャップと、
前記外側蛇腹体の上端部に連結される外周壁と、前記内側蛇腹体の上端部に連結される内周壁を有し、前記設置物の底部に取り付けられる上側キャップと、を有し、
前記外側蛇腹体、前記内側蛇腹体、前記下側キャップ及び前記上側キャップにより形成された気密性を有する空間に、空気を供給する空気供給手段を有することを特徴とする免震装置。
【請求項２】
前記空気供給手段により空気が充填された状態で、免震装置の高さが前記キャスターの高さより高くなり、前記充填された空気が排出された状態で、免震装置の高さが前記キャスターの高さより低くなることを特徴とする請求項１記載の免震装置。
【請求項３】
前記設置物が、家具、棚、ショーケースのいずれかであることを特徴とする請求項１又は２に記載の免震装置。
【請求項４】
前記外側蛇腹体及び前記内側蛇腹体が、円筒形蛇腹体又は多角形蛇腹体であることを特徴とする請求項１乃至３のいずれか１項に記載の免震装置。
【請求項５】
前記空気供給手段が、前記上側キャップに設置されたノズルと、該ノズルに接続されるホースとから構成されることを特徴とする請求項１乃至４のいずれか１項に記載の免震装置。
【発明の詳細な説明】
【技術分野】
【０００１】
本発明は、キャスター付き家具等に使用される免震装置に関する。
【背景技術】
【０００２】
近年、日本においては大きな地震が度々発生しており、室内の家具等が転倒して、居住者の生命が危険に晒される事態となっている。特に、底部にキャスターが設置された家具は、通常はキャスターがロック状態になっており、地震が発生すると家具が転倒する可能性が高い。そこで、例えば特許文献１には簡単な構成で、保守が容易なキャスター付き家具の免震装置に関する技術が開示されている。特許文献１の免震装置について、以下に説明する。
【０００３】
ここで、先ず免震装置がない従来の家具３０を図６（ａ）により説明する。通常、キャスター２０はロックされている。この場合、小さな揺れでは防振作用を有するので移動しないが、例えば、巨大地震の大きな揺れとなると家具３０はある角度以上傾いてもロックされたキャスター２０は移動せず、また、家具３０の底面部１２の前面側の最下部位ｙ３も移動しない。その結果、このような巨大地震の場合、特に背の高い家具３０では下端部を中心に回転して前方に転倒してしまう場合がある。
【０００４】
そこで、図６（ｂ）に示すように、免震装置としてボールベアリング３２をキャスター２０の前方に設置する。ボールベアリング３２の構造は、ボール３２１が枠体３２２に回転自在に嵌め込まれており、ボール３２１が接地すると滑走する構成である。図６（ｂ）は、通常状態での前面部の拡大断面図であるが、図示されているように、滑走部材のボールベアリング３２の最下部位ｙ１は、通常時にはロックされたキャスター２０の最下部位が接する床面Ｆより若干高い位置ｈ１に浮いた状態に配置されている。
【０００５】
次に免震装置の作動状態を図６（ｃ）に基づいて説明する。家具３０が図６（ｂ）の状態にある場合に、小さな地震の揺れでは、図６（ａ）の場合と同様に、キャスター２０はロックされ防振装置を構成しているので、防振作用により家具３０は揺れるだけで移動もしない。しかし、巨大地震となると、図６（ｃ）のように、家具３０は所定角度以上傾くと、前面部１１１の下端部に設けたボールベアリング３２の最下部位ｙ１が床面Ｆに接地し、このボールベアリング３２は滑走し易いので、図６（ｃ）の矢印に示すように、揺れ方向に滑走し移動する。すなわち、所定以上の大きな震度での揺れでは、家具３０は転倒せずに前後左右に移動するだけである。
【先行技術文献】
【特許文献】
【０００６】
【特許文献１】特開２０１５−７７２６１号公報
【発明の概要】
【発明が解決しようとする課題】
【０００７】
しかし、上記した特許文献１の免震装置は、地震発生時に家具類の転倒は防止できるものの、家具類が床面上を横滑りすることは防止することはできず、十分は免震装置であるとは言えなかった。
【０００８】
本発明は、上記課題を解決するためになされたものであり、地震発生時に家具類の転倒及び移動を防止でき、かつキャスターの機能を損なわない免震装置を提供することを目的とする。
【課題を解決するための手段】
【０００９】
本発明は、上記課題を解決するため以下の構成を有する。
【００１０】
（１）設置物の底部に取り付けられた複数のキャスターを囲むように前記設置物の底部に装着される免震装置であって、
外側蛇腹体と、
前記外側蛇腹体の内径より小さな内径を有する内側蛇腹体と、
前記外側蛇腹体の下端部に連結される外周壁と、前記内側蛇腹体の下端部に連結される内周壁を有する下側キャップと、
前記外側蛇腹体の上端部に連結される外周壁と、前記内側蛇腹体の上端部に連結される内周壁を有し、前記設置物の底部に取り付けられる上側キャップと、を有し、
前記外側蛇腹体、前記内側蛇腹体、前記下側キャップ及び前記上側キャップにより形成された気密性を有する空間に、空気を供給する空気供給手段を有することを特徴とする免震装置
【００１１】
（２）前記空気供給手段により空気が充填された状態で、免震装置の高さが前記キャスターの高さより高くなり、前記充填された空気が排出された状態で、免震装置の高さが前記キャスターの高さより低くなることを特徴とする前記（１）記載の免震装置。
【００１２】
（３）前記設置物が、家具、棚、ショーケースのいずれかであることを特徴とする前記（１）又は（２）に記載の免震装置。
【００１３】
（４）前記外側蛇腹体及び前記内側蛇腹体が、円筒形蛇腹体又は多角形蛇腹体であることを特徴とする前記（１）乃至（３）のいずれか１項に記載の免震装置。
【００１４】
（５）前記空気供給手段が、前記上側キャップに設置されたノズルと、該ノズルに接続されるホースとから構成されることを特徴とする前記（１）乃至（４）のいずれか１項に記載の免震装置。
【発明の効果】
【００１５】
本発明によれば、地震発生時に家具類の転倒及び移動を防止でき、かつキャスターの機能を損なわない免震装置を提供することができる。
【図面の簡単な説明】
【００１６】
【図１】本発明の免震装置の設置状態を示す図
【図２】本発明の免震装置の外観及び構造を示す図
【図３】本発明の免震装置の構成品を示す図
【図４】本発明の免震装置の組み立て状態を示す図
【図５】本発明の免震装置の機能を説明するための図
【図６】従来の免震装置を説明するための図
【発明を実施するための形態】
【００１７】
本発明を実施するための形態を、図面を参照しつつ以下に説明する。
【実施例１】
【００１８】
図１は、本発明の免震装置１０が家具３０の底面部に設置された状態を示す図である。なお、家具３０は他の棚、ショーケース、作業台等であってもよい。免震装置１０はキャスター２０を囲むように設置されている。なお、キャスター２０と免震装置１０の数は図のように４個に限定されるものではなく、例えば各々６個であってもよい。そして、各免震装置１０はエアーホース４０（空気供給手段）により連結されており、このエアーホース４０を介して各免震装置１０に空気が供給されるとともに、免震装置１０内の空気が抜かれる。
【００１９】
次に、本発明の免震装置１０の構成について、図２を参照しつつ説明する。図２（ａ）は免震総装置１０の外観を示す斜視図であり、図２（ｂ）は免震装置１０の内部構造を示した斜視図である。図からも分かるように、免震装置１０の主要な構成品は、上側キャップ１，下側キャップ２、外側蛇腹３（外側蛇腹体）及び内側蛇腹４（内側蛇腹体）である。これらの構成品の組み立てについては後述する。なお、図示したように、上側キャップ１には既に述べたエアーホース４０が接続されるノズル５が設けられている。このノズル５を介して、内部に空気が供給されるとともに、内部の空気が排出される。また、内側蛇腹４の内側は空き空間となっており、この空間に既に述べたキャスター２０が設置される。なお、図では外側蛇腹３と内側蛇腹４は断面が円筒形のものを示したが、多角形であってもよい。
【００２０】
図３は、本発明の免震装置１０の構成部品を個別に示した図である。この図から分かるように、上側キャップ１（図３（ａ１））と下側キャップ２（図３（ｄ））の外側の外周壁には外側蛇腹３（図３（ｂ））の上下の端部が挿入される。この際、外側蛇腹３の上下の端部とキャップの外周壁は接着等により十分に気密性を保持する必要がある。免震装置１０の内部の空気の気密性を確保するためである。
【００２１】
一方、上側キャップ１と下側キャップ２の内側の内周壁には内側蛇腹４（図３（ｃ））の上下の端部が挿入される。この場合も、内側蛇腹４の上下の端部とキャップの内周壁は接着等により十分に気密性を確保する必要がある。
【００２２】
なお、これらの構成品により完成された免震装置１０は、家具３０の底面にキャスター２０を囲むように設置されるが、免震装置１０を家具３０の底面に設置する場合、上側キャップ１の上面に接着性の両面テープを貼って固定しても良いし、直接接着剤を塗布して固定しても良い。また、上側キャップ１の上面に固定用のフランジを設けて図３（ａ２）のような取付穴６ａを有する上側キャップ６とし、ネジ等により家具３０の底面に固定しても良い。図４は、免震装置１０の組み立て途中の状態を示した図である。
【００２３】
次に、図５を参照しつつ本発明の免震装置１０の機能について説明する。図５（ａ）は、免震装置１０に空気を吸入した後の状態を示している。矢印Ａは空気の吸入方向を示す。エアーホース４０からノズル５を介して吸入された空気は外側蛇腹３と内側蛇腹４の間の空間に充填され、免震装置１０の高さを高くし、家具３０の底面に設置されたキャスター２０を床面Ｆから浮いた状態にする。すなわちこの状態では、免震装置１０の高さはキャスター２０の高さより高くなっている。家具３０の底面に設置された免震装置１０のすべてがこのような状態になるため、家具３０全体が複数の免震装置１０によって支持された状態になる。この状態で、例えば地震が発生しても免震装置１０が伸縮することにより地震のエネルギーを吸収することで、家具類の転倒を防止することができる。その結果、家具類の近傍に居住する住人が負傷することも防止することができる。
【００２４】
図５（ｂ）は、免震装置１０の内部の空気を排出した後の状態を示している。矢印Ｂは空気の排出方向を示す。この状態では、免震装置１０の下側キャップ２は持ち上げられ、キャスター１０の底部が床面Ｆに接地された状態になる。すなわち、この状態では免震装置１０の高さはキャスター２０の高さより低くなっている。この場合、免震装置１０は機能しないが、複数のキャスター２０が床面Ｆに接地することで、家具類が重量物であっても容易に移動することができる。
【００２５】
本発明の免震装置は、通常は図５（ａ）の状態で使用し、家具類の移動時等には図５（ｂ）の状態で使用することで、キャスターの機能を阻害することなく地震に有効な免震機能を発揮する。
【符号の説明】
【００２６】
１，６  上側キャップ
６ａ    取付穴
２      下側キャップ
３      外側蛇腹
４      内側蛇腹
５      ノズル
１０    免震装置
２０    キャスター
３０    家具
４０    エアーホース
Ｆ      床面
【図１】
2018007822.tif 000003
【図２】
2018007822.tif 000004
【図３】
2018007822.tif 000005
【図４】
2018007822.tif 000006
【図５】
2018007822.tif 000007
【図６】
2018007822.tif 000008